(57)【要約】【課題】着信応答操作から通話路確立までの処理に時間がかかった場合でも、話頭切れによる通話への影響を抑制する。【解決手段】電話装置１の通信制御手段１６Ａにおいて、相手電話装置からの着信への応答操作後、音声録音手段１６Ｂによる送話器１２Ａから入力された音声を録音音声として録音する処理を開始し、その後の相手電話装置との通話路の確立に応じて、音声再生手段１６Ｃにより録音音声を早送りで再生して通話路へ送出する処理を開始し、録音音声データの送出終了に応じて、音声録音手段１６Ｂによる録音を停止するとともに、送話器１２Ａから入力された音声を通話路へ送出する。【選択図】  図１
2008092158.tif 000002
【特許請求の範囲】
【請求項１】
データ通信網を介して相手電話装置と各種呼制御メッセージを送受信することにより、前記相手電話装置からの着信に対する利用者の応答操作に応じて、前記データ通信網を介して当該相手電話装置との間で通話路を確立し、この通話路を介して音声を相互に送受信することにより音声通話を行う電話装置であって、
送話器から入力された音声を記憶部へ録音音声として録音する音声録音手段と、
前記録音音声を早送りで再生して前記通話路へ送出する音声再生手段と、
前記相手電話装置からの着信に対する利用者の応答操作後、前記音声録音手段による録音を開始し、その後の前記通話路の確立に応じて前記音声再生手段による前記録音音声の送出を開始し、前記録音音声の送出終了に応じて前記音声録音手段による前記録音を停止するとともに送話器から入力された音声の前記通話路への送出を開始する通信制御手段と
を備えることを特徴とする電話装置。
【請求項２】
請求項１に記載の電話装置において、
前記送話器からの音声入力を確認する音声確認手段をさらに備え、
前記通信制御手段は、前記音声録音手段により前記音声を録音する際、前記音声確認手段により音声入力を確認した後に前記音声録音手段による前記録音を開始する
ことを特徴とする電話装置。
【請求項３】
データ通信網を介して相手電話装置と各種呼制御メッセージを送受信することにより、前記相手電話装置からの着信に対する利用者の応答操作に応じて、前記データ通信網を介して当該相手電話装置との間で通話路を確立し、この通話路を介して音声を相互に送受信することにより音声通話を行う電話装置の電話制御方法であって、
前記応答操作後、送話器から入力された音声を音声録音手段により記憶部へ録音音声として録音する処理を開始するステップと、
その後の前記通話路の確立に応じて、音声再生手段により前記録音音声を早送りで再生して前記通話路へ送出する処理を開始するステップと、
前記録音音声データの送出終了に応じて、前記音声録音手段による前記録音を停止するとともに送話器から入力された音声の前記通話路への送出を開始するステップと
を備えることを特徴とする電話制御方法。
【請求項４】
データ通信網を介して相手電話装置と各種呼制御メッセージを送受信することにより、前記相手電話装置からの着信に対する利用者の応答操作に応じて、前記データ通信網を介して当該相手電話装置との間で通話路を確立し、この通話路を介して音声を相互に送受信することにより音声通話を行う電話装置のコンピュータに、
前記応答操作後、送話器から入力された音声を音声録音手段により記憶部へ録音音声として録音する処理を開始するステップと、
その後の前記通話路の確立に応じて、音声再生手段により前記録音音声を早送りで再生して前記通話路へ送出する処理を開始するステップと、
前記録音音声データの送出終了に応じて、前記音声録音手段による前記録音を停止するとともに送話器から入力された音声の前記通話路への送出を開始するステップと
を実行させるプログラム。
【発明の詳細な説明】
【技術分野】
【０００１】
本発明は、電話技術に関し、特に着信応答時における通話路確立制御技術に関する。
【背景技術】
【０００２】
ＩＰ電話網やＩＳＤＮなどのデータ通信網では、音声信号を音声メディアデータに変換して電話装置間で転送することにより音声通話が実現される。このようなデータ通信網に接続される電話装置では、着側利用者によるオフフックなどの着信応答操作を検出してから、呼制御プロトコルの応答手順を実行する。この後、両電話装置において音声メディアデータの送受信に関するネゴシエーション、例えば呼制御メッセージをやり取りして使用する符号化則の決定などを行うことにより通話路を確立した後、音声メディアデータの送受信が開始され、音声通話が開始される。
【０００３】
【特許文献１】http://www.softfront.co.jp/tech/ietfdoc/trans/rfc3261j.txt,ソフトウェアフロント,RFC3261 SIP:セッション開始プロトコル
【発明の開示】
【発明が解決しようとする課題】
【０００４】
しかしながら、このような従来技術では、着側利用者による着信応答操作を検出してから呼制御プロトコルの応答手順を実行し、音声メディアデータの送受信に関するネゴシエーションを行って通話路の確立を行うため、着信応答操作から通話路確立までの処理に時間がかかった場合、例えば呼制御メッセージの転送エラーが発生した場合や電話装置での処理動作に時間を要した場合には、通話路確立に先立って着側利用者の送話が開始されてしまい、話頭切れが発生するという問題点があった。特に、電話装置での着信応答時には、着側利用者の名前など重要な内容を通知する場合が一般的であり、これら内容が話頭切れで通知されない場合には通話がスムーズに進まないなどの影響を与えてしまう。
【０００５】
本発明はこのような課題を解決するためのものであり、着信応答操作から通話路確立までの処理に時間がかかった場合でも、話頭切れによる通話への影響を抑制できる電話装置、電話制御方法、およびプログラムを提供することを目的としている。
【課題を解決するための手段】
【０００６】
このような目的を達成するために、本発明にかかる電話装置は、データ通信網を介して相手電話装置と各種呼制御メッセージを送受信することにより、相手電話装置からの着信に対する利用者の応答操作に応じて、データ通信網を介して当該相手電話装置との間で通話路を確立し、この通話路を介して音声を相互に送受信することにより音声通話を行う電話装置であって、送話器から入力された音声を記憶部へ録音音声として録音する音声録音手段と、録音音声を早送りで再生して通話路へ送出する音声再生手段と、相手電話装置からの着信に対する利用者の応答操作後、音声録音手段による録音を開始し、その後の通話路の確立に応じて音声再生手段による録音音声の送出を開始し、録音音声の送出終了に応じて音声録音手段による録音を停止するとともに送話器から入力された音声の通話路への送出を開始する通信制御手段とを備えている。
【０００７】
この際、送話器からの音声入力を確認する音声確認手段をさらに備え、通信制御手段で、音声録音手段により音声を録音する際、音声確認手段により音声入力を確認した後に音声録音手段による録音を開始するようにしてもよい。
【０００８】
また、本発明にかかる電話制御方法は、データ通信網を介して相手電話装置と各種呼制御メッセージを送受信することにより、相手電話装置からの着信に対する利用者の応答操作に応じて、データ通信網を介して当該相手電話装置との間で通話路を確立し、この通話路を介して音声を相互に送受信することにより音声通話を行う電話装置の電話制御方法であって、応答操作後、送話器から入力された音声を音声録音手段により記憶部へ録音音声として録音する処理を開始するステップと、その後の通話路の確立に応じて、音声再生手段により録音音声を早送りで再生して通話路へ送出する処理を開始するステップと、録音音声データの送出終了に応じて、音声録音手段による録音を停止するとともに送話器から入力された音声の通話路への送出を開始するステップとを備えている。
【０００９】
また、本発明のかかるプログラムは、データ通信網を介して相手電話装置と各種呼制御メッセージを送受信することにより、相手電話装置からの着信に対する利用者の応答操作に応じて、データ通信網を介して当該相手電話装置との間で通話路を確立し、この通話路を介して音声を相互に送受信することにより音声通話を行う電話装置のコンピュータに、応答操作後、送話器から入力された音声を音声録音手段により記憶部へ録音音声として録音する処理を開始するステップと、その後の通話路の確立に応じて、音声再生手段により録音音声を早送りで再生して通話路へ送出する処理を開始するステップと、録音音声データの送出終了に応じて、音声録音手段による録音を停止するとともに送話器から入力された音声の通話路への送出を開始するステップとを実行させる。
【発明の効果】
【００１０】
本発明によれば、着信への応答操作後、音声録音手段により送話器から入力された音声を録音音声として録音する処理が開始され、その後の通話路の確立に応じて、音声再生手段により録音音声を早送りで再生して通話路へ送出する処理が開始され、録音音声データの送出終了に応じて、録音が停止されるとともに送話器から入力された音声の通話路への送出が開始される。
【００１１】
このため、応答操作以降、通話路が確立される前に利用者が話し始めた場合でも、利用者の音声が記憶部に順次録音され、通話路確立後、その録音音声が早送りで通話路へ順次送出され、相手電話装置へ出力される。
したがって、着信応答操作から通話路確立までの処理に時間がかかった場合でも、話頭切れによる通話への影響を抑制でき、スムーズな通話を実現することができる。
【発明を実施するための最良の形態】
【００１２】
次に、本発明の実施の形態について図面を参照して説明する。
［第１の実施の形態］
まず、図１を参照して、本発明の第１の実施の形態にかかる電話装置について説明する。図１は、本発明の第１の実施の形態にかかる電話装置の構成を示すブロック図である。
【００１３】
この電話装置１は、通信回線２を介してＩＰ電話網やＩＳＤＮなどのデータ通信網３に接続されて、同じくデータ通信網３に接続されている相手電話装置４と各種呼制御メッセージを送受信することにより、相手電話装置４からの着信に対する利用者の応答操作に応じて、データ通信網３を介して当該相手電話装置との間で通話路を確立し、この通話路を介して音声を相互に送受信することにより音声通話を行う機能を有している。
【００１４】
本実施の形態は、着信への応答操作後、送話器から入力された音声を録音音声として録音する処理を開始し、その後の通話路の確立に応じて録音音声を早送りで再生して通話路へ送出する処理を開始し、録音音声データの送出終了に応じて、録音を停止するとともに送話器から入力された音声の通話路への送出を開始するようにしたものである。
【００１５】
次に、図１を参照して、本発明の第１の実施の形態にかかる電話装置の構成について詳細に説明する。
電話装置１には、主な機能部として、通信インターフェース部（以下、通信Ｉ／Ｆ部という）１１、音声処理部１２、操作入力部１３、表示部１４、記憶部１５、および制御部１６が設けられている。
【００１６】
通信Ｉ／Ｆ部１１は、専用の通信回路からなり、データ通信網３を介して相手電話装置４との間で各種呼制御メッセージや音声データを送受信する機能を有している。
音声処理部１２は、専用の信号処理回路からなり、送話器１２Ａから入力された利用者の送話音声などの音声信号を音声データに符号化する機能と、相手電話装置４からの音声データを音声信号に復号して受話器１２Ｂから出力する機能と、制御部１６からの指示に応じて着信音や確認音などの各種信号音をスピーカ（図示せず）から出力する機能とを有している。
【００１７】
操作入力部１３は、ダイヤルキー、各種機能キー、およびフックスイッチからなり、利用者の操作を検出して制御部１６へ出力する機能を有している。
表示部１４は、ＬＥＤやＬＣＤなどの表示器からなり、制御部１６からの指示に応じて着信表示などの各種表示を行う機能を有している。
【００１８】
記憶部１５は、メモリやハードディスクなどの記憶装置からなり、制御部１６での処理に用いる各種処理情報やプログラム１５Ｐを記憶する機能を有している。
プログラム１５Ｐは、制御部１６に読み出されて実行されることにより各種機能手段を実現するプログラムである。このプログラム１５Ｐは、外部装置や記録媒体（図示せず）から予め読み込まれて記憶部１５に格納される。
制御部１６で記憶する主な処理情報として録音音声データ１５Ａがある。録音音声データ１５Ａは、送話器から入力された利用者の送話音声が録音されたものである。
【００１９】
制御部１６は、ＣＰＵなどのマイクロプロセッサとその周辺回路を有し、記憶部１５からプログラム１５Ｐを読み出して実行することにより、上記ハードウェアとプログラム１５Ｐを協働させて各種機能手段を実現する。
制御部１６で実現される主な機能手段としては、通信制御手段１６Ａ、音声録音手段１６Ｂ、および音声再生手段１６Ｃがある。
【００２０】
通信制御手段１６Ａは、通信Ｉ／Ｆ部１１を制御してデータ通信網３を介して相手電話装置４と各種呼制御メッセージを送受信することにより、データ通信網３を介して相手電話装置４との間で通話路を確立する機能と、この通話路を介して音声を相互に送受信することにより音声通話を実現する機能と、音声録音手段１６Ｂ、音声再生手段１６Ｃ、音声処理部１２、および通信Ｉ／Ｆ部１１の通話路との間でやり取りされる音声データを切替制御する機能とを有している。
【００２１】
音声録音手段１６Ｂは、送話器１２Ａから入力され音声処理部１２で音声データに変換された音声を記憶部１５へ録音音声データ１５Ａとして録音する機能を有している。
音声再生手段１６Ｃは、記憶部１５の録音音声データ１５Ａを早送りで再生して通話路へ送出する機能を有している。早送り再生技術については、例えば無音区間を詰めて再生したり、再生速度を速めたりするなどの、一般的な公知の技術を用いればよい。
【００２２】
［第１の実施の形態の動作］
次に、図２を参照して、本発明の第１の実施の形態にかかる電話装置の動作について説明する。図２は、本発明の第１の実施の形態にかかる電話装置の着信動作を示すシーケンス図である。ここでは、相手電話装置４からの着信に応答した後に通話路を確立して通話を開始する場合について説明する。
【００２３】
相手電話装置４は、発側利用者による発信操作に応じて（ステップ１００）、その発信操作で指定された着側となる電話装置１を呼び出すため、接続要求メッセージをデータ通信網３へ送信する（ステップ１０１）。
この接続要求メッセージは、データ通信網３および通信回線２を介して電話装置１へ転送される。
【００２４】
電話装置１の制御部１６は、通信Ｉ／Ｆ部１１により相手電話装置４からの接続要求メッセージを受信した場合、通信制御手段１６Ａにより、音声処理部１２や表示部１４を制御して、着側利用者に対して着信検出の旨を報知するための着信表示を開始する（ステップ１０２）。また、通信制御手段１６Ａは、呼出中メッセージを通信Ｉ／Ｆ部１１から相手電話装置４宛てに送信する（ステップ１０３）。
相手電話装置４は、データ通信網３を介して電話装置１からの呼出中メッセージを受信し、発側利用者に対して呼出中を報知するための呼出音を送出する（ステップ１０４）。
【００２５】
その後、電話装置１の制御部１６は、操作入力部１３により着側利用者によるオフフックなどの応答操作を検出した場合（ステップ１１０）、通信制御手段１６Ａにより、音声処理部１２や表示部１４を制御して着信表示を停止し（ステップ１１１）、応答メッセージを通信Ｉ／Ｆ部１１から相手電話装置４宛てに送信する（ステップ１１２）。この際、応答メッセージにより、相手電話装置４との間でやり取りする音声データに用いることができる符号化則などのメディア制御情報が通知される。
【００２６】
また、上記応答操作後、通信制御手段１６Ａは、送話器１２Ａから入力され音声処理部１２で音声データに変換された音声を、音声録音手段１６Ｂへのみ切替出力し（ステップ１１３）、音声録音手段１６Ｂより、その音声を記憶部１５へ録音音声データ１５Ａとして録音する処理を開始する（ステップ１１４）。このため、音声処理部１２からの音声データは、この後に確立される相手電話装置４との通話路には直接出力されない。
【００２７】
相手電話装置４は、データ通信網３を介して電話装置１からの応答メッセージを受信し、呼出中の送出を停止した後（ステップ１１５）、電話装置１宛の応答確認メッセージを送信する（ステップ１１６）。この際、相手電話装置４により、電話装置１から通知された符号化則のうち電話装置１との間でやり取りする音声データに用いる符号化則が選択されて、相手電話装置４の音声処理部（図示せず）に設定されるとともに、応答確認メッセージにより電話装置１に通知される。
【００２８】
電話装置１の制御部１６は、通信Ｉ／Ｆ部１１を介して相手電話装置４からの応答確認メッセージを受信した場合、通信制御手段１６Ａにより、その応答確認メッセージで通知された符号化則を音声処理部１２へ設定する。
これにより、データ通信網３を介して相手電話装置４と電話装置１との間で通話路が確立し、通話のための音声データの送受信が可能となる（ステップ１１７）。
【００２９】
通信制御手段１６Ａは、通話路確立後、音声再生手段１６Ｃにより、記憶部１５の録音音声データ１５Ａを早送りで再生して通話路へ送出する処理を開始する（ステップ１２０）。これにより、応答操作以降に着側利用者が送話器１２Ａから入力され記憶部１５に順次録音された送話音声が、通話路確立後、早送りで通話路へ順次送出され、相手電話装置４へ出力される。
この後、録音音声データ１５Ａの送出が終了した場合（ステップ１２１：ＹＥＳ）、通信制御手段１６Ａは、音声録音手段１６Ｂによる録音を停止するとともに（ステップ１２２）、送話器１２Ａから入力された音声を音声録音手段１６Ｂから通話路へ切替出力し（ステップ１２３）、一連の着信動作を終了する。
【００３０】
図３は、本発明の第１の実施の形態にかかる電話装置の動作を示すタイミングチャートである。
時刻Ｔ１において、応答操作が行われた場合（図２のステップ１１０）、これに応じて音声録音手段１６Ｂによる録音処理が開始される。この際、送話器１２Ａから入力された利用者の音声は、音声録音手段１６Ｂにのみ切替出力される。これにより、応答操作後に入力された音声Ｖ１，Ｖ２は、録音音声データ１５Ａとして記憶部１５に順次録音される。
【００３１】
この後、時刻Ｔ２において、通話路が確立した場合（図２のステップ１１６）、音声再生手段１６Ｃによる再生処理が開始される。これにより、記憶部１５の録音音声データ１５Ａとして録音された音声Ｖ１，Ｖ２は、早送りで再生されて通話路へ順次送出される。
この場合、音声録音手段１６Ｂでの録音処理は並行して実行されているため、時刻Ｔ２以降に入力された利用者の音声Ｖ３は、一旦、録音音声データ１５Ａとして記憶部１５に録音された後、早送りで再生されて通話路へ順次送出されることになる。
【００３２】
この後、時刻Ｔ３において、音声Ｖ３が再生されて音声再生手段１６Ｃによる再生処理が終了した場合、音声録音手段１６Ｂでの録音処理が停止されるとともに、送話器１２Ａから入力された利用者の音声が通話路へ切替出力される。これにより、時刻Ｔ３以降に送話器１２Ａから入力された音声Ｖ４は録音されずに、直接、通話路へ出力され、通常の音声通話に戻る。
【００３３】
このように、本実施の形態は、電話装置１の通信制御手段１６Ａにおいて、相手電話装置からの着信への応答操作後、音声録音手段１６Ｂによる送話器１２Ａから入力された音声を録音音声として録音する処理を開始し、その後の相手電話装置との通話路の確立に応じて、音声再生手段１６Ｃにより録音音声を早送りで再生して通話路へ送出する処理を開始し、録音音声データの送出終了に応じて、音声録音手段１６Ｂによる録音を停止するとともに、送話器１２Ａから入力された音声を通話路へ送出する。
【００３４】
このため、応答操作以降、通話路が確立される前に利用者が話し始めた場合でも、利用者の音声が記憶部に順次録音され、通話路確立後、その録音音声が早送りで通話路へ順次送出され、相手電話装置へ出力される。
したがって、着信応答操作から通話路確立までの処理に時間がかかった場合でも、話頭切れによる通話への影響を抑制でき、スムーズな通話を実現することができる。
【００３５】
［第２の実施の形態］
次に、図４を参照して、本発明の第２の実施の形態にかかる電話装置について説明する。図４は、本発明の第２の実施の形態にかかる電話装置の構成を示すブロック図であり、図１と同じまたは同様部分には同一符号を付してある。
第１の実施の形態では、応答操作に応じて送話音声の録音を開始する場合について説明した。本実施の形態では、応答操作後、送話音声の入力が確認された場合に送話音声の録音を開始する場合について説明する。
【００３６】
第１の実施の形態と比較して、本実施の形態にかかる電話装置１には、制御部１６に音声確認手段１６Ｄが設けられている。
音声確認手段１６Ｄは、送話器１２Ａからの音声入力を確認する機能を有している。音声入力確認技術については、音声処理部１２からの音声データの音の大きさや送話器１２Ａからの音声信号の大きさを、所定のしきい値と比較して音声入力の有無を確認するなど、一般的な公知の技術を用いればよい。なお、この他の構成については、第１の実施の形態と同様であり、ここでの詳細な説明は省略する。
【００３７】
［第２の実施の形態の動作］
次に、図５を参照して、本発明の第２の実施の形態にかかる電話装置の動作について説明する。図５は、本発明の第２の実施の形態にかかる電話装置の動作を示すシーケンス図であり、図２と同じまたは同様部分には同一符号を付してある。ここでは、相手電話装置４からの着信に応答した後に通話路を確立して通話を開始する場合について説明する。
【００３８】
相手電話装置４は、発側利用者による発信操作に応じて（ステップ１００）、その発信操作で指定された着側となる電話装置１を呼び出すため、接続要求メッセージをデータ通信網３へ送信する（ステップ１０１）。これ以降、ステップ１１２の応答メッセージ送出までの各ステップは、図２と同様であり、ここでの詳細な説明は省略する。
【００３９】
ステップ１１０での応答操作後、通信制御手段１６Ａは、音声確認手段１６Ｄにより、送話器１２Ａからの音声入力の有無が確認されるまで待機し（ステップ１３０）、音声入力が確認された場合には（ステップ１３０：ＹＥＳ）、送話器１２Ａから入力され音声処理部１２で音声データに変換された音声を、音声録音手段１６Ｂへのみ切替出力し（ステップ１１３）、音声録音手段１６Ｂより、その音声を記憶部１５へ録音音声データ１５Ａとして録音する処理を開始する（ステップ１１４）。これ以降、ステップ１２４の送話音声の切替出力までの各ステップは、図２と同様であり、ここでの詳細な説明は省略する。
【００４０】
図６は、本発明の第２の実施の形態にかかる電話装置の動作を示すタイミングチャートである。
時刻Ｔ０において、応答操作が行われた場合（図５のステップ１１０）、これに応じて音声確認手段１６Ｄにより送話器１２Ａからの音声入力の確認処理が開始され（ステップ１３０）、時刻Ｔ１に音声入力が確認された場合（ステップ１３０：ＹＥＳ）、音声録音手段１６Ｂによる録音処理が開始される。これ以降、図３と同様に処理が行われるため、ここでの詳細な説明は省略する。
【００４１】
このように、本実施の形態は、通信制御手段１６Ａにおいて、音声録音手段１６Ｂにより送話器１２Ａから入力された音声を録音する際、音声確認手段１６Ｄにより音声入力を確認した後に音声録音手段１６Ｂによる録音を開始するようにしたので、着信応答操作から通話路確立までの処理にあまり時間がかからず、通話路確立までに送話音声が入力されなかった場合には、無駄な録音再生を省くことができる。
【００４２】
［実施の形態の拡張］
以上の各実施の形態では、音声の録音・再生を行う音声録音手段１６Ｂや音声再生手段１６Ｃを制御部１６すなわちソフトウェアが主体となって構成されている場合を例として説明したが、これに限定されるものではない。例えば、音声録音手段１６Ｂや音声再生手段１６Ｃを専用の音声処理回路で構成してもよい。
また、音声処理部１２を専用の信号処理回路で構成されている場合を例として説明したが、これに限定されるものではない。例えば、音声処理部１２を制御部１６すなわちソフトウェアが主体となって構成してもよい。
【００４３】
また、送話器１２Ａから入力され音声処理部１２で音声データに変換された音声の出力を、通信制御手段１６Ａにより、音声録音手段１６Ｂまたは通話路（通信Ｉ／Ｆ部１１）のいずれかに切替出力する場合を例として説明したが、これに限定されるものではない。
例えば音声切替用のスイッチ回路を設け、これを通信制御手段１６Ａにより制御して切替制御してもよい。この際、音声処理部１２からの出力を音声録音手段１６Ｂまたは通話路のいずれかに切替制御してもよく、通話路へ入力される音声を音声処理部１２または録音再生手段１６Ｃのいずれかに切替制御してもよい。
【００４４】
また、各実施の形態では、電話装置１が、通信回線２を介してデータ通信網３に直接接続される単独電話を例として説明したが、これに限定されるものではない。例えば、ボタン電話装置の内線電話機や、無線回線を介して携帯電話網に接続される携帯電話機に、これら実施の形態の構成を設けてもよく、前述と同様の作用効果を奏することができる。
【００４５】
また、各実施の形態では、着側の電話装置１から発側の相手電話装置４へ使用可能な符号化則を通知し、発側の相手電話装置４で符号化則を決定する場合を例として説明したが、これに限定されるものではない。例えば、接続要求メッセージにより発側の相手電話装置４から着側の電話装置１へ符号化則を通知し、着側の電話装置１で符号化則を決定して応答メッセージで発側に通知する場合にも、前述と同様にして各実施の形態を適用でき、同様の作用効果を奏することができる。
【図面の簡単な説明】
【００４６】
【図１】本発明の第１の実施の形態にかかる電話装置の構成を示すブロック図である。
【図２】本発明の第１の実施の形態にかかる電話装置の着信動作を示すシーケンス図である。
【図３】本発明の第１の実施の形態にかかる電話装置の動作を示すタイミングチャートである。
【図４】本発明の第２の実施の形態にかかる電話装置の構成を示すブロック図である。
【図５】本発明の第２の実施の形態にかかる電話装置の着信動作を示すシーケンス図である。
【図６】本発明の第２の実施の形態にかかる電話装置の動作を示すタイミングチャートである。
【符号の説明】
【００４７】
１…電話装置、１１…通信Ｉ／Ｆ部、１２…音声処理部、１２Ａ…送話器、１２Ｂ…受話器、１３…操作入力部、１４…表示部、１５…記憶部、１５Ａ…録音音声データ、１５Ｐ…プログラム、１６…制御部、１６Ａ…通信制御手段、１６Ｂ…音声録音手段、１６Ｃ…音声再生手段、１６Ｄ…音声確認手段、２…通信回線、３…データ通信網、４…相手電話装置。
【図１】
2008092158.tif 000003
【図２】
2008092158.tif 000004
【図３】
2008092158.tif 000005
【図４】
2008092158.tif 000006
【図５】
2008092158.tif 000007
【図６】
2008092158.tif 000008